(57)【特許請求の範囲】
【請求項１】
器具本体と、該器具本体へ２列に離隔配置された発光ダイオードからなる光源部と、２列に離隔配置された前記光源部の間に配置し前記光源部を駆動させる電源装置と、２列に離隔配置された前記光源部のそれぞれを覆うように設けられた透光カバーと、を有する照明装置において、
前記電源装置を覆う反射板を備え、
前記透光カバーは、前記光源部を覆うように設けられた状態で前記光源部の側部方向に位置し、かつ前記光源部からの光の一部が透過する戻し部を備え、
前記反射板の外側面は、前記器具本体に対して略鉛直となり、かつ前記透光カバーの戻し部に隣接するよう配置したことを特徴とする照明装置。
【請求項２】
前記光源部は照明装置外側方向を向くように前記器具本体へ各々斜めとなるように配置したことを特徴とする請求項１に記載された照明装置。
【発明の詳細な説明】
【技術分野】
【０００１】
本発明は照明装置に関するものである。
【背景技術】
【０００２】
近年、指向性の高いＬＥＤ（発光ダイオード、発光素子）などを光源とする照明装置が提供されている。このような照明装置の一例としては天井面などに取り付けられる長尺な照明装置などがある。例えば、特許文献１においては指向性の高いＬＥＤ光源を床面方向に水平に配置し、断面視が略コの字状に折り曲げた反射シートが設けられており、反射シートの両縁が透光パネルの両縁に位置するように配置してあり照明装置直下が際立って明るくなる傾向にある。
【先行技術文献】
【特許文献】
【０００３】
【特許文献１】特許第４５２８８６２号公報
【発明の概要】
【発明が解決しようとする課題】
【０００４】
しかし、特許文献１における製品内側方向の反射シートはＬＥＤに近接して鉛直方向に対し傾斜させ配置しているため、ＬＥＤから製品内側方向の反射シートに照射された光は照明装置直下方向への反射光となり照明装置直下が際立って明るくなるが、均斉度（室内の照度分布の均一さ）は低くなる恐れがある。
【０００５】
本発明では、天井面に対し横方向（水平方向）への光の広がりを十分に確保し均斉度が高い照明装置を提供することを目的とする。
【課題を解決するための手段】
【０００６】
上記の課題を解決するために、器具本体と、該器具本体へ２列に離隔配置された発光ダイオードからなる光源部と、２列に離隔配置された前記光源部の間に配置し前記光源部を駆動させる電源装置と、２列に離隔配置された前記光源部のそれぞれを覆うように設けられた透光カバーと、を有する照明装置において、前記電源装置を覆う反射板を備え、前記透光カバーは、前記光源部を覆うように設けられた状態で前記光源部の側部方向に位置置し、かつ前記光源部からの光の一部が透過する戻し部を備え、前記反射板の外側面は、前記器具本体に対して略鉛直となり、かつ前記透光カバーの面の一部に隣接するよう配置した。
【発明の効果】
【０００７】
本発明によれば、天井面に対し横方向（水平方向）への光の広がりを十分に確保し均斉度が高い照明装置を提供することができる。
【図面の簡単な説明】
【０００８】
【図１】本発明に係る実施形態の照明装置１０を示す斜視図。
【図２】図１の分斜視図。
【図３】透光カバー３０の斜視図。
【図４】図１の照明装置を器具本体２０と電源装置７０を上方向と短手方向を通るように切断し、光の照射方向を示す部分断面図。
【図５】図１の照明装置１０を器具本体２０と電源装置７０を上方向と短手方向を通るように切断し、光の照射範囲を示す断面図。
【図６】図１の照明装置１０を器具本体２０と電源装置７０を上方向と短手方向を通るように切断し、短手方向からみた断面図。
【発明を実施するための形態】
【０００９】
以下、本発明の実施形態について図面を用いて説明する。
【００１０】
図１から図６中に記載する参照符号は以下の説明において共通符号とする。１０は照明装置、２０は器具本体、２１は器具本体２０の裾部、２２は器具本体２０の端部、２３は器具本体２０の立上部、２４は立上部２３に形成した凹部、３０は透光カバー、３１は透光カバー３０の支持部、３２は透光カバー３０の発光部、３３は透光カバー３０の戻し部、３４は透光カバー３０の押え部、３５は支持部３１に形成した溝部、３６は戻し部３３に形成した凸部、４０は反射材である反射板、４１は反射板４０の側面部、４２は反射板４０の底曲部、５０はＬＥＤ、５２はＬＥＤ５０から発光部３２の方向に照射された光、５２′は光５２が発光部３２を透過した後の光、５３はＬＥＤ５０から戻し部３３の方向に照射された光、５３′は光５３が戻し部３３を透過した後の光、５３″は光５３′が発光部３２を透過した後の光、５４は光部３２で導光された拡散光、５６はＬＥＤ５０の照射範囲（内側）、５７はＬＥＤ５０の照射範囲（外側）、６０は光源基板、７０は電源装置、７２は電源端子台、７４は端板、８０は取付部材（ねじ、ファスナーなど）、９０は天井である。
【００１１】
照明装置１０が、天井９０に取り付けられた際の天井側を上方向、床面側を下方向とする。つまり照明装置１０が、天井９０に取り付けられた場合、上方向から下方向へ器具本体２０、反射板４０の順になるよう取り付けられる。また、照明装置１０の外形は長尺な略直方体であるため、照明装置１０には６つの面が存在する。これ以降、照明装置１０が天井９０に取り付けられた状態を基準として、照明装置１０の天井側の面を上面、照明装置１０の床面側の面を下面、天井９０と直交し長尺な照明装置１０の長手面を長手方向側面、上面・下面・長手方向側面以外の天井９０と直交し長尺な照明装置１０の短手面を短手方向側面と呼ぶことにする。また、これ以降、天井９０に平行であり長手方向側面と平行となる方向を長手方向、天井９０に平行であり短手方向側面と平行となる方向を短手方向と呼ぶ。
【００１２】
照明装置１０の概略構成を以下に説明する。天井９０に固定される器具本体２０は長尺で長手方向から見て略逆ひ型である。器具本体２０の短手方向には裾部２１が設けられている。両方の裾部２１は器具本体２０の短手方向中心部を基準とし、短手方向端部へ行くにつれ下方向から上方向へと傾斜している。つまり器具本体２０を天井面に取り付けた場合、裾部２１は天井９０に対して傾斜している。ＬＥＤ５０を実装した光源基板６０は、板状である。光源基板６０は１つでも良いし、複数を接続しても良い。光源基板６０は、両方の裾部２１に固定され、天井９０に対して斜め下面向きとなるよう固定される。透光カバー３０は、略ハーフパイプ型である。つまり、透光カバー３０は、長手方向に長尺な凹型形状である。透光カバー３０は、光源基板６０を覆うように器具本体２０の短手方向の両外側に固定される。よって、透光カバー３０は、天井９０に対して斜めとなるよう固定される。一対の透光カバー３０に挟まれるように光源基板６０に実装したＬＥＤ５０を発光させるための電源装置７０、および電源装置７０に電力を供給する電源ケーブルを接続する電源端子台７２が器具本体２０に固定される。端板７４は、板状であり、透光カバー３０の長手方向端部を覆うよう器具本体２０長手方向の両端に固定されている。着脱可能な反射板４０は、略逆Ｖ型である。反射板４０は、器具本体２０と長手方向の長さが略等しく長尺で表面に反射処理を施している。また、反射板４０は、電源装置７０および電源端子台７２を覆い、かつ一対の透光カバー間に位置するよう器具本体２０に固着される。
【００１３】
図３は透光カバー３０の斜視図である。透光カバー３０は光源であるＬＥＤ５０からの光を透過するものであればよく、透明となる材料で作成しても半透明となる材料で作成してもよい。また、透光カバー３０は、拡散性でも非拡散性でもよい。拡散性であれば均斉度は高くなり、非拡散性であれば効率がよくなる。透光カバー３０は、支持部３１・発光部３２・戻し部３３・押え部３４からなり、一体で設けられている。各部位は器具本体２０の長手方向から見て、支持部３１は器具本体２０の両方の端部２２の一方に係止することが可能な溝型形状であり、支持部３１と接続している発光部３２は光源基板６０を覆うよう曲線型形状で、発光部３２と接続している戻し部３３は凸部または凹部を形成した板型形状で、戻し部３３と接続している押え部３４は板型形状である。
【００１４】
図４は図１の照明装置１０を器具本体２０と電源装置７０を上方向と短手方向を通るように切断し、光の照射状態を示す部分断面図である。光源であるＬＥＤ５０から様々な方向に照射される光は、光源基板６０を覆うように器具本体２０に固定された透光カバー３０を透過する。
【００１５】
発光部３２の方向に照射された光５２は、発光部３２を透過し光５２′となる。光５２′は主に床面方向照射する光となる。
【００１６】
戻し部３３の方向に照射された光５３は、戻し部３３に隣接して配置している反射板４０の側面部４１で反射され反射光５３′となり透光カバー３０内側の発光部３２方向に戻される。透光カバー３０内側に戻された反射光５３′は、発光部３２を透過し照明装置１０の外側方向への照射光５３″となり横方向への光の広がりを高める効果が得られる。このように、基板を斜めに配置することで均斉度を高めることができる。反射板４０を設けることで更に均斉度を高めることができる。
【００１７】
また、反射板４０の表面に光の反射性に優れた高反射処理を施すことで反射効率が高くなり透光カバー３０内部に戻る反射光５３′が増え発光効率を高める効果が得られる。
【００１８】
透光カバー３０に拡散性材料を用いた場合には、指向性の高いＬＥＤ５０においても透光カバー３０の発光部３２に照射される光は透光カバー３０の拡散成分により面発光し短手方向へ光が導かれる拡散光５４となり照明装置１０近傍の天井面に照射さる。結果的に天井面の明るさが増すことにより部屋全体の明るさを高める効果が得られる。
【００１９】
照明装置１０における天井への施工手順は、透光カバー３０が固定された器具本体２０を天井に取り付け、電源端子台７２に電源ケーブルなどの電気配線を行った後、反射板４０を固着する。
【００２０】
透光カバー３０が器具本体２０に固定されていない状態で施工した場合には、透光カバー３０を別に取り付ける作業が必要となり施工に手間がかかることになる。
【００２１】
図５は図１の照明装置１０を器具本体２０と電源装置７０を上方向と短手方向を通るように切断し、光の照射状態を示す断面図である。ＬＥＤ５０を実装した光源基板６０は照明装置１０外側方向に各々斜め配置することで、２列に分離配置し各々のＬＥＤ５０から内側方向に照射され重なる範囲５６を減らし、照明装置１０の外側方向への照射範囲５７を増やすことができ、均斉度が高く広範囲へ照射できる効果が得られる。
【００２２】
図６は図１の照明装置を器具本体２０と電源装置７０を上方向と短手方向を通るように切断し、短手方向からみた断面図である。器具本体２０の裾部２０に透光カバー３０の一辺である支持部３１に形成した溝部３５を引っ掛け、戻し部３３の凸部３６が器具本体２０の立上部２３の凹部２４に弾性係合される。また、戻し部３３の凹部２４を凹形状とし、立上部２３の凹部２４を凸形状での弾性係合でもよい。また、凸形状を切起し形状にして弾性係合させてもよい。
【００２３】
反射板４０は実使用状態において取付部材８０（ねじ、ファスナーなど）で器具本体２０方向すなわち下方向から上方向への力で固着される。反射板４０の底曲部４２は透光カバー３０の押え部３４に接することで透光カバー３０を器具本体２０へ押し付ける作用が生じ、実使用状態で透光カバー３０は器具本体２０に機械的に固着させることができ、施工後の透光カバー３０の落下を排除できる。よって、器具本体２０への透光カバー３０の固定は、反射板４０が器具本体２０へ固着されるまでの弾性係合など非機械的な固定を可能とし、透光カバー３０を固定するための部品数および組立作業工数の低減効果が得られる。
【００２４】
ＬＥＤ５０と反射処理を施した反射板４０に適正な距離を設け、反射板４０の側面部４１が略鉛直になるよう配置することで、ＬＥＤ５０から製品内側方向の反射板４０に照射された光は横方向への反射光となり、照明装置１０直下の光を分散させることができる。
【００２５】
器具本体２０へ２列に離隔配置された発光部が発光ダイオード（ＬＥＤ５０）からなる光源部と、前記光源部を駆動させる電源装置７０を前記２列に離隔配置した光源部間に配置した照明装置１０において、前記光源部を覆うように前記器具本体２０に２列配置した光の透過が可能な透光カバー３０を備え、前記器具本体２０に着脱可能な前記電源装置７０を覆う反射材である反射板４０を備え、前記反射板４０の外側面は透光カバー３０外面の一部に隣接させ、前記光源部から前記反射板４０方向へ照射した光で前記透光カバー３０を透過した光を前記反射板４０で反射させ前記透光カバー３０内に戻し、天井９０面に対し横方向への光として利用することを特徴とした照明装置１０とすることで、天井９０面に対し横方向（水平方向）への光の広がりを十分に確保し均斉度が高く、天井９０面への照射が可能となり部屋全体の明るさを高く感じられる照明装置１０を提供することができる。
【００２６】
照明装置１０内側方向への光を反射板４０での反射を利用して照明装置１０外側方向へ照射させるとともに、光源であるＬＥＤ５０を実装したＬＥＤ５０基板を照明装置１０の外側方向に各々斜め配置して照明装置１０の直下付近で光の重なりを低減することで、天井９０面に対し横方向（水平方向）への光の広がりを十分に確保し均斉度が高く、天井９０面への照射が可能となり部屋全体の明るさを高く感じられる照明装置１０を提供することができる。
【００２７】
なお、光源をＬＥＤ５０で示してきたが、光源は有機ＥＬでもよい。
【符号の説明】
【００２８】
１０  照明装置
２０  器具本体
２１  器具本体２０の裾部
２２  器具本体２０の端部
２３  器具本体２０の立上部
２４  立上部２３に形成した凹部
３０  透光カバー
３１  透光カバー３０の支持部
３２  透光カバー３０の発光部
３３  透光カバー３０の戻し部
３４  透光カバー３０の押え部
３５  支持部３１に形成した溝部
３６  戻し部３３に形成した凸部
４０  反射材である反射板
４１  反射板４０の側面部
４２  反射板４０の底曲部
５０  ＬＥＤ
５２  ＬＥＤ５０から発光部３２の方向に照射された光
５２′  光５２が発光部３２を透過した後の光
５３  ＬＥＤ５０から戻し部３３の方向に照射された光
５３′  光５３が戻し部３３を透過した後の光
５３″  光５３′が発光部３２を透過した後の光
５４  発光部３２で導光された拡散光
５６  ＬＥＤ５０の照射範囲（内側）
５７  ＬＥＤ５０の照射範囲（外側）
６０  光源基板
７０  電源装置
７２  電源端子台
７４  端板
８０  取付部材（ねじ、ファスナーなど）
９０  天井
【図１】
0005965707.tif 000002
【図２】
0005965707.tif 000003
【図３】
0005965707.tif 000004
【図４】
0005965707.tif 000005
【図５】
0005965707.tif 000006
【図６】
0005965707.tif 000007